(57)【特許請求の範囲】
【請求項１】
外部機器に接続される接続手段と、
話者の音声を音声信号に変換する送話マイクと、
通話相手からの音声信号を音響出力する受話スピーカと、
この受話スピーカと異なる拡声スピーカと、
前記接続手段への前記外部機器の接続の有無に応じて、前記話者および通話相手の音声信号の経路を切り替える通話経路切替手段とを備え、
この通話経路切替手段は、
前記接続手段に前記外部機器が接続されていない状態では、話者とその通話相手方との通話を前記送話マイクと前記受話スピーカとを介して行い、前記接続手段に前記外部機器が接続された状態では、前記話者とその通話相手方との通話を前記外部機器のマイクと前記拡声スピーカとを介して行うべく、前記音声信号の経路を切り替えることを特徴とする移動通信端末装置。
【請求項２】
イヤホンマイクが接続される接続端子と、
話者の音声を音声信号に変換する送話マイクと、
通話相手からの音声信号を音響出力する受話スピーカと、
この受話スピーカと異なる拡声スピーカと、
前記接続端子への前記イヤホンマイクの接続の有無に応じて、前記話者および通話相手の音声信号の経路を切り替える通話経路切替手段とを備え、
この通話経路切替手段は、
前記接続端子に前記イヤホンマイクが接続されていない状態では、話者とその通話相手方との通話を前記送話マイクと前記受話スピーカとを介して行い、前記接続端子に前記イヤホンマイクが接続された状態では、前記話者とその通話相手方との通話を前記イヤホンマイクのマイクと前記拡声スピーカとを介して行うべく、前記音声信号の経路を切り替えることを特徴とする移動通信端末装置。
【請求項３】
さらに、前記接続端子に前記イヤホンマイクが接続された場合の通話モードを、互いに異なる第１および第２の通話モードのいずれかに選択設定する通話モード設定手段を備え、
前記通話経路切替手段は、
前記通話モード設定手段で前記第１の通話モードが選択された場合に、前記話者とその通話相手方との通話を前記イヤホンマイクのマイクと前記拡声スピーカとを介して行うべく前記音声信号の経路を設定し、
前記通話モード設定手段で前記第２の通話モードが選択された場合に、前記話者とその通話相手方との通話を前記イヤホンマイクのマイクと当該イヤホンマイクのイヤホンとを介して行うべく音声信号の経路を設定することを特徴とする請求項２に記載の移動通信端末装置。
【発明の詳細な説明】
【０００１】
【発明の属する技術分野】
本発明は、例えばＰＤＣ（Personal Digital Cellular）携帯電話装置などの移動通信端末装置に関し、特に車載用ハンズフリー機能を備えた移動通信端末装置に関する。
【０００２】
【従来の技術】
近年、自動車の運転中に携帯電話機を使用したことによる交通事故が増えている。これに対して昨年、道路交通法が改正され、運転中の携帯電話機の使用に際して車載用ハンズフリー装置を使用することが義務づけられた。このような背景から、ハンズフリー装置の需要が高まっている。
【０００３】
しかしながら、多くの車載用ハンズフリー装置は今のところ高価で、また携帯電話機を買い換えた場合には純正品を使用できなくなる場合もあり、ユーザへの負担が大きい。
【０００４】
そこで、従来からイヤホンマイクを使用して、手軽にハンズフリー機能を実現させるようにした携帯電話装置が提供されている。
【０００５】
この種の携帯電話装置では、ほとんどの機種が備えているイヤホンマイクジャックを利用する。同ジャックにイヤホンマイクを装着すると、本体の送話マイクと受話スピーカとがイヤホンマイク側に切り替わり、以降の通話はイヤホンマイクを介して行なわれる。
【０００６】
これによって携帯電話機のユーザ（話者）は、携帯電話機に手を奪われることなく、両手を自由にして、いわゆるハンズフリーでの通話を行える。
【０００７】
【発明が解決しようとする課題】
しかしながら、従来の携帯電話機では、イヤホンマイクを装着することにより本体側の送話マイクと受話スピーカとが内部回路より切り離されてしまい、まとめてイヤホンマイク側に切り替えられてしまう。すなわち通話経路が送受話同時に切り替わるため、通話相手側の音声はイヤホンマイクのイヤホンからしか聞こえなくなる。
【０００８】
このため従来の携帯電話装置では、ハンズフリーで使用する際に話者がイヤホンマイクを耳に装着する必要があり、携帯電話装置から延びる信号ケーブルが邪魔になって運転に支障を来す虞があった。
【０００９】
本発明は上記事情によりなされたもので、その目的は、ハンズフリーで使用して使い勝手の良い移動通信端末装置を提供することにある。
【００１０】
【課題を解決するための手段】
上記目的を達成するために請求項１記載の本発明は、外部機器に接続される例えば接続端子などの接続手段と、話者の音声を音声信号に変換する送話マイクと、通話相手からの音声信号を音響出力する受話スピーカと、この受話スピーカと異なる拡声スピーカと、前記接続手段への前記外部機器の接続の有無に応じて、前記話者および通話相手の音声信号の経路を切り替える例えばスイッチ切り替え制御手段などの通話経路切替手段とを備え、
この通話経路切替手段により、前記接続手段に前記外部機器が接続されていない状態では、話者とその通話相手方との通話を前記送話マイクと前記受話スピーカとを介して行い、前記接続手段に前記外部機器が接続された状態では、前記話者とその通話相手方との通話を前記外部機器のマイクと前記拡声スピーカとを介して行うべく、前記音声信号の経路を切り替えるようにした。
このような手段を講じることにより、外部機器が接続された状態では、外部機器のマイク（送話）と移動通信端末装置の拡声スピーカ（受話）とを用いて通話が行われる。
【００１１】
また請求項２記載の本発明では、イヤホンマイクが接続される例えばイヤホンマイクジャックなどの接続端子と、話者の音声を音声信号に変換する送話マイクと、通話相手からの音声信号を音響出力する受話スピーカと、この受話スピーカと異なる拡声スピーカと、前記接続端子への前記イヤホンマイクの接続の有無に応じて、前記話者および通話相手の音声信号の経路を切り替える例えばスイッチ切り替え制御手段などの通話経路切替手段とを備え、
この通話経路切替手段により、前記接続端子に前記イヤホンマイクが接続されていない状態では、話者とその通話相手方との通話を前記送話マイクと前記受話スピーカとを介して行い、前記接続端子に前記イヤホンマイクが接続された状態では、前記話者とその通話相手方との通話を前記イヤホンマイクのマイクと前記拡声スピーカとを介して行うべく、前記音声信号の経路を切り替えるようにした。
このような手段を講じることにより、イヤホンマイクを使用したハンズフリー通話の際に、相手方の音声は拡声スピーカから出力され、話者の音声はイヤホンマイクのマイクで採取される。
【００１２】
これにより、ハンズフリーで使用する際に話者がイヤホンマイクを耳に装着する必要が無くなる。よって、イヤホンマイクの信号ケーブルが運転者に纏わりつくなどの虞を無くし、運転に支障をきたすことを防止して使い勝手を良くすることが可能となる。なおイヤホンマイクのマイクは、車内の任意の場所（例えばサンバイザー）に固定し、携帯電話機は安価な値段で購入できるホルダーなどでダッシュボードなどに固定するようにすれば良い。
【００１３】
さらに請求項３記載の本発明では、例えばモード設定制御手段などの通話モード設定手段を備えて前記接続端子に前記イヤホンマイクが接続された場合に例えば拡声モードとイヤホンモードなどとして区別される第１および第２の通話モードを選択設定できるようにし、
第１の通話モードでの通話を行う場合には、前記話者とその通話相手方との通話を前記イヤホンマイクのマイクと前記拡声スピーカとを介して行い、第２の通話モードでの通話を行う場合には、前記話者とその通話相手方との通話を前記イヤホンマイクのマイクと当該イヤホンマイクのイヤホンとを介して行えるように、前記通話経路切替手段に音声信号の経路を設定させるようにした。
【００１４】
このようにすることで、通話に際してイヤホンマイクと拡声スピーカとを使用するか、イヤホンマイクのみを使用するかを話者の希望により任意に設定できるようになるので、便利である。
【００１５】
【発明の実施の形態】
以下、図面を参照して本発明の移動通信端末装置を携帯無線電話機に適用した実施形態につき説明する。
図１は本実施形態に係る携帯無線電話機１の要部の構成を示すブロック図である。
この図に示すように本実施形態の携帯無線電話機１は、アンテナＡＮＴ、アンテナ共用器（ＤＵＰ）２、受信回路（ＲＸ）３、シンセサイザ回路（ＳＹＮ）４、Ａ／Ｄコンバータ５、モデム部６、チャネルコーデック７、スピーチコーデック８、Ｄ／Ａコンバータ９、受話アンプ１０、切替スイッチ（ＳＷ）５２，５３，５４，５５、受話スピーカ１１、イヤホンマイクジャック５１、送話マイク１２、送話アンプ１３、Ａ／Ｄコンバータ１４、Ｄ／Ａコンバータ１５、送信回路（ＴＸ）１６、制御部１７、ＬＣＤ表示器１８、キーユニット１９、発振回路２０、スピーカアンプ４２、拡声スピーカ４３、ＲＯＭ２７、ＲＡＭ２８を有している。
【００１６】
そして、シンセサイザ回路４、モデム部６、チャネルコーデック７、スピーチコーデック８、ＲＯＭ２７およびＲＡＭ２８は、制御バス３２を介して制御部１７に接続されている。
【００１７】
切替スイッチ（ＳＷ）５２，５３，５４，５５はいずれも２接点切り替え型のスイッチであり、制御部１７の制御のもとに動作する。このうち切替スイッチ５２と，５３とが連動して動作する。
【００１８】
イヤホンマイクジャック５１には、例えば図２に示すようなイヤホンマイク１００が装着される。
図２に示すように、イヤホンマイク１００は、その先端部にイヤホン１０１を、信号ケーブル（符号付さず）の途中にマイク１０２を有するものが一般的であり、イヤホン１０１を耳に装着するとマイク１０２がちょうど良い位置（口の付近）に来るようになっている。
【００１９】
図３に、本実施形態での携帯無線電話機１の使用例を示す。この図では、自動車の室内における使用を想定している。携帯無線電話機１を例えばダッシュボードなどにずり落ちないように置くか、粘着テープ、または図示しないホルダなどで固定する。そして、携帯無線電話機１から延びるイヤホンマイク１００のイヤホン１０１を、運転手側のサンバイザ（符号付さず）に引っかけるようにして固定する。このとき、マイク１０２がサンバイザからぶら下がるようにして、ドライバーの音声を拾えるようにする。なお、携帯無線電話機１を自動車のＡピラー１０３に取り付け、イヤホンマイク１００を室内の内壁に這わせるようにしても良い。
【００２０】
さて、図１において無線基地局から無線通話チャネルを介して送られた無線周波信号は、アンテナＡＮＴで受けられて電波−電気信号変換がなされたのち、アンテナ共用器２を介して受信回路３に入力される。
【００２１】
受信回路３にて無線周波信号は、図示しない前置アンプによりまず増幅される。続いて無線周波信号は受信回路３にて、シンセサイザ回路４から与えられるローカル信号を用いてミキシングダウンされてＩＦ周波信号に変換される。さらにこのＩＦ周波信号は受信回路３にて増幅されたのち、ＱＰＳＫ信号となっているので直交復調される。
【００２２】
なおシンセサイザ回路４は、無線チャネル周波数に応じて制御部１７から指示される周波数のローカル信号を発生し、受信回路３および送信回路１６に与える。
【００２３】
受信回路３にて直交復調された後のＩＦ周波信号は、Ａ／Ｄコンバータ５でディジタル化されたのち、モデム部６に与えられる。
【００２４】
受信回路３から出力されたＩＦ周波信号は、モデム部６で遅延検波されるとともに、フレーム同期の確立およびカラーコードの検出が行われ、ディジタル通話信号および制御データが再生される。この再生されたディジタル通話信号はチャネルコーデック７へ、また制御データは制御バス３２へと出力される。
【００２５】
モデム部６から出力されたディジタル通話信号は、チャネルコーデック７でデインタリーブおよび誤り訂正復号が行われる。そしてこれにより、モデム部６から出力されたディジタル通話信号に含まれる複数チャネル分のディジタル通話信号のうちから自機宛のディジタル通話信号が取り出される。
【００２６】
チャネルコーデック７で取り出されたディジタル通話信号は、スピーチコーデック８にて復号化処理が行われて受話音声信号が再生される。
【００２７】
そしてこの受話音声信号は、Ｄ／Ａコンバータ９でアナログ化された後、受話アンプ１０により増幅されて切替スイッチ５２に与えられる。切替スイッチ５２は、アンプ１０からの受話音声信号を切替スイッチ５４または切替スイッチ５３のいずれかに出力する。
【００２８】
受話音声信号が切替スイッチ５４に与えられた場合、切替スイッチ５４はこの受話音声信号を受話スピーカ１１またはイヤホンマイクジャック５１のいずれかに出力する。
【００２９】
すなわち、切替スイッチ５４が切替スイッチ５２と受話スピーカ１１とを繋いでいると、音声信号が受話スピーカ１１から出力される。また、切替スイッチ５４が切替スイッチ５２とイヤホンマイクジャック５１とを繋いでいると、音声信号がイヤホンマイク１００のイヤホン１０１から出力される。
【００３０】
また、切替スイッチ５２が切替スイッチ５３側に切り替えられている場合には、切替スイッチ５２と連動する切替スイッチ５３は切替スイッチ５２とスピーカアンプ４２とを繋ぐ。すなわち受話アンプ１０と拡声スピーカ４３とが接続される。これにより通話相手からの音声信号は、拡声スピーカ４３から出力される。
【００３１】
一方、話者が発声した音声は、送話マイク１２、またはイヤホンマイク１００のマイク１０２で送話音声信号に変換される。そしてこの送話音声信号は、送話アンプ１３で増幅されたのち、Ａ／Ｄコンバータ１４によってデジタル化される。
【００３２】
ディジタル化された送話音声信号は、スピーチコーデック８にてＶＳＥＬＰ符号化処理が行われてディジタル通話信号とされる。スピーチコーデック８で得られたディジタル通話信号は、チャネルコーデックにて誤り訂正符号化およびインタリーブ処理が行われる。
【００３３】
さらにディジタル通話信号は、モデム部６にてフレーム信号の付加やカラーコード信号の付加が行われる。これにより信号のマッピング処理が施されて得られたＩＦ周波信号は、送信タイミングを設定してＤ／Ａコンバータ１５へと与えられる。
【００３４】
ＩＦ周波信号はＤ／Ａコンバータ１５にて、アナログ化されて送信回路１６へと与えられる。ＩＦ周波信号は送信回路１６では、まず直交変調が行われ、さらにシンセサイザ回路４から与えられるローカル信号を用いてミキシングアップして所定の送信周波数の無線周波信号とされる。そしてこの無線周波信号は、送信回路１６で増幅されたのち、アンテナ共用器２を介してアンテナＡＮＴに供給される。これにより、無線周波信号はアンテナＡＮＴより電波として送出される。
【００３５】
制御部１７は、ＲＯＭ２７に格納されている動作プログラムに基づいて動作して、ＬＣＤ表示器１８、拡声スピーカ４３の駆動制御、シンセサイザ回路４の発生周波数の制御や、キーユニット１９の出力信号の処理および着信メロディの発生などを行う。そして制御部１７は、本携帯電話機の各部を携帯電話機として機能し得るように総括制御する。
【００３６】
また制御部１７は、制御信号線ａ，制御信号線ｂ，制御信号線ｃを介してそれぞれ切替スイッチ５３，５５，５４に切り替え指示信号を与え、各切替スイッチ５２，５３，５４，５５の切り替え制御を行う。なお切替スイッチは４つあるが、このうち切替スイッチ５２，５３が連動して動作するために、制御信号線は３本で良い。例えば制御信号線ａを、切替スイッチ５２に接続しても良い。
【００３７】
ＬＣＤ表示器１８は、制御部１７により駆動されて、任意の画像を表示する。キーユニット１９は、電話番号、発信、終話、文字入力、あるいは機能設定やモード指定などに関する話者による指示入力を受け付ける。メロディ発生器２１は、着信メロディ信号を発生する。
【００３８】
スピーカアンプ４２には、通話相手からの受話音声信号（受話アンプ１０から出力される信号）、または着信メロディ信号（メロディ発生器２１から出力される信号）のいずれかか切替スイッチ５３を介して与えられる。スピーカアンプ４２は、これらのいずれかの信号を拡声スピーカ４３を駆動するのに十分なレベルまで増幅した上で、拡声スピーカ４３に与える。拡声スピーカ４３は、スピーカアンプ４２から与えられる信号を音響出力として発生する。
【００３９】
発振回路２５は、制御部１７に所定のクロック信号を供給する。ＲＯＭ２７は、フラッシュＲＯＭまたはＥＥＰＲＯＭを用いて構成されている。そしてこのＲＯＭ２７は、制御部１７の動作プログラムの他に、着信メロディ情報、静止画情報、個別番号、あるいは無線機の調整情報など、永続的に保持しておくべき種々の情報を記憶するために使用する。
【００４０】
ＲＡＭ２８は、携帯無線電話機１の設定状態、電話番号、デジタル処理化された録音信号、話者が入力した文字情報、あるいはメロディ情報などのような比較的短期的に保持しておくべき種々の情報を記憶するために使用する。なお、このＲＡＭ２８は、図示しないバックアップ電池によりバックアップされており、ある程度は長期間に渡って記憶情報を確実に保持しておくことが可能である。
【００４１】
ところで、制御部１７がＲＯＭ２７に格納された動作プログラムに基づいて動作することにより実現される制御手段は、音声通話を可能とするための制御手段などのような携帯無線電話機における周知の一般的な制御手段に加えて、スイッチ切り替え制御手段１７ａと、モード設定制御手段１７ｂとを有している。
【００４２】
スイッチ切り替え制御手段１７ａは、イヤホンマイクジャック５１へのイヤホンマイク１００の装着の有無に応じて、また話者のキーユニット１９を介したモード設定に応じて、切替スイッチ５２，５３，５４，５５の切り替え制御を行う。
【００４３】
モード設定制御手段１７ｂは、イヤホンマイクジャック５１にイヤホンマイク１００が装着された状態において、話者に二つのモードを選択指定させる。本実施形態では、これらのモードを［イヤホンモード］、および［拡声モード］と称して区別する。
【００４４】
イヤホンモードでは、通話相手方からの受話音声信号はイヤホン１０１から出力される。拡声モードでは、通話相手方からの受話音声信号は拡声スピーカ４３から出力される。いずれのモードにおいても、話者からの送話音声信号はマイク１０２を介して携帯無線電話機１に与えられる。いずれのモードを選択するかは、キーユニット１９を介した話者の選択に応じて制御部１７が判断する。
【００４５】
次に、以上のように構成された携帯無線電話機１の動作につき、図４のフローチャートに示す制御部１７の処理手順に従って説明する。
図４のステップＳ１で、制御部１７は切替スイッチ５２，５３，５４，５５を制御して、メロディ発生器２１をスピーカアンプ４２に、受話アンプ１０を受話スピーカ１１に、送話マイク１２を送話アンプ１３にそれぞれ接続する。これによりデフォルトでの通話経路が設定される。
【００４６】
ステップＳ１が完了すると、制御部はステップＳ２の待ち受け状態に入る。このステップで通話相手からの着呼信号が到来するか、または話者により発呼操作がなされると、制御部１７はステップＳ３に移行する。
【００４７】
ステップＳ３では、制御部１７はイヤホンマイクジャック５１にイヤホンマイク１００が装着されているか否かを判定する。ここで装着されていなければ（Ｎｏ）、そのままステップＳ７に移行して制御部１７は通話処理を開始する。ここでは話者の音声はマイク１２で採取されて送話アンプ１３に送られ、通話相手方の音声は受話アンプ１０から受話スピーカ１１を介して出力される。すなわち受話スピーカ１１と送話マイク１２とを用いた通話が実現される。そして通話が終了すると、制御部１７はステップＳ８でこの終話を検出してステップＳ１に戻る。
【００４８】
一方、ステップＳ３でイヤホンマイクジャック５１にイヤホンマイク３が装着されていたとする。この場合、制御部１７はステップＳ３からステップＳ４に移行して、この時の通話モードが［拡声モード］であるか、または［イヤホンモード］のいずれであるかを判定する。
【００４９】
ここで［拡声モード］であれば、制御部１７はステップＳ５に移行する。このステップＳ５において、制御部１７は切替スイッチ５５を制御してイヤホンマイクジャック５１を送話アンプ１３に接続する。これに伴い送話マイク１２は送話アンプ１３から切り離される。また、それとともに制御部１７は切替スイッチ５２，５３を制御して、受話アンプ１０をスピーカアンプ４２に接続する。これに伴いメロディ発生器２１はスピーカアンプ４２から切り離される。このようにして、拡声モードでの通話経路が設定される。
【００５０】
したがって、この状態で通話が開始されると、話者の音声はイヤホンマイク１００のマイク１０２で採取されて送話アンプ１３に送られる。通話相手方の音声は、受話アンプ１０からスピーカアンプ４２および拡声スピーカ４３を介して出力される。かくして、話者はマイク１０２と、拡声スピーカ４３とを使用したハンズフリー通話を行うことが可能となる。
【００５１】
一方、［イヤホンモード］が設定されていれば、制御部１７はステップＳ４からステップＳ６に移行する。このステップＳ６において、制御部１７は、切替スイッチ５５を制御してイヤホンマイクジャック５１を送話アンプ１３に接続する。またそれとともに、切替スイッチ５２，５４を制御して、受話アンプ１０をイヤホンマイクジャック５１に接続する。このようにして、イヤホンモードでの通話経路が設定される。
【００５２】
したがって、この状態で通話が開始されると、話者の音声はイヤホンマイク１００のマイク１０２で採取されて送話アンプ１３に送られる。通話相手方の音声は、受話アンプ１０からイヤホン１０１を介して出力される。かくして、話者はマイク１０２と、イヤホン１０１とを使用したハンズフリー通話を行うことが可能となる。
【００５３】
なお拡声モードおよびイヤホンモードのいずれのモードでも、通話が終了すると制御部１７は、ステップＳ８からステップＳ１に戻り、通話経路を先に述べたデフォルトの状態に再設定する。
【００５４】
以上のように本実施形態では、切替スイッチ５４，５５をそれぞれ独立して動作させ、それぞれ制御部１７からの制御信号線ｃ，ｂを接続して、別々に切り替え制御を行えるようにする。そして、イヤホンマイク１００が装着されていない状態では、スイッチ切り替え制御手段１７ａによる各切替スイッチ５２，５３，５４，５５への制御のもと、メロディ発生器２１をスピーカアンプ４２に、受話アンプ１０を受話スピーカ１１に、送話マイク１２を送話アンプ１３にそれぞれ接続する。
【００５５】
また本実施形態では、モード設定制御手段１７ｂを備え、イヤホンマイク１００が装着された状態において［拡声モード］または［イヤホンモード］なる二つのモードを選択指定できるようにする。
【００５６】
拡声モードでは、イヤホンマイクジャック５１を送話アンプ１３に、受話アンプ１０をスピーカアンプ４２にそれぞれ接続する。これは、切替スイッチ５２，５３，５５を切り替えることにより行なわれる。
【００５７】
イヤホンモードでは、イヤホンマイクジャック５１を送話アンプ１３に、受話アンプ１０をイヤホンマイクジャック５１にそれぞれ接続する。これは、切替スイッチ５２，５４，５５を切り替えることにより行なわれる。
【００５８】
このように、切替スイッチ５４、５５を個々に独立して制御できるようにしたので、拡声スピーカ４３とイヤホンマイク１００のマイク１０２とを選択的に組み合わせて使用することが可能となる。
【００５９】
すなわち、ハンズフリー通話時に拡声モードにすると、受話を拡声スピーカ４３を用いて、送話をマイク１０２を用いて行うことができるので、話者はイヤホン１０１を耳に装着する必要が無くなる。その結果、ハンズフリーでの使用時における使い勝手を良くすることが可能となる。
【００６０】
さらに本実施形態に係わる携帯無線電話機１では、イヤホンモードも選択できるようになっている。このため、話者が希望すればイヤホンマイク１００のイヤホン１０１とマイク１０２とを用いた通話も行える。これは、例えば停車時や携帯無線電話機１を車外に持ち出した時などには便利に使える機能であり、モード設定によりこのモードを使えるようにすることで、使い勝手をさらに良くすることが可能となる。
【００６１】
ちなみに、従来では切替スイッチ５４，５５が互いに連動して動作するようになっており、これに伴って制御信号線も切替スイッチ５４に接続される制御信号線ｃか、あるいは切替スイッチ５５に接続される制御信号線ｂのいずれかしか無かった。このため拡声スピーカ４３とマイク１０２とを組み合わせて使用することができず、マイク１０２を使用する際には必然的にイヤホン１０１を使用せざるを得なかった。
【００６２】
なお、本発明は上記実施の形態に限定されるものではない。
例えばイヤホンマイク１００の設置の仕方は上記の限りではなく、例えばマイク１０２に吸盤を設け、この吸盤で自動車のガラス面に取り付けるようにしても良い。または粘着テープでマイク１０２を任意の場所に取り付けるなど、様々な手法が考えられる。
【００６３】
また本実施形態では、イヤホン１０１とマイク１０２とを備えたイヤホンマイク１００を使用したが、マイクのみを本体に接続しても、本発明の特徴である拡声モードでの通話を行うことは可能である。
その他、本発明の要旨を逸脱しない範囲で種々の変形実施を行うことができる。
【００６４】
【発明の効果】
以上詳述したように請求項１に記載の本発明では、外部機器に接続される例えば接続端子などの接続手段と、話者の音声を音声信号に変換する送話マイクと、通話相手からの音声信号を音響出力する受話スピーカと、この受話スピーカと異なる拡声スピーカと、前記接続手段への前記外部機器の接続の有無に応じて、前記話者および通話相手の音声信号の経路を切り替える例えばスイッチ切り替え制御手段などの通話経路切替手段とを備え、
この通話経路切替手段により、前記接続手段に前記外部機器が接続されていない状態では、話者とその通話相手方との通話を前記送話マイクと前記受話スピーカとを介して行い、前記接続手段に前記外部機器が接続された状態では、前記話者とその通話相手方との通話を前記外部機器のマイクと前記拡声スピーカとを介して行うべく、前記音声信号の経路を切り替えるようにした。
また請求項２に記載の本発明では、イヤホンマイクが接続される接続端子と、話者の音声を音声信号に変換する送話マイクと、通話相手からの音声信号を音響出力する受話スピーカと、この受話スピーカと異なる拡声スピーカと、前記接続端子への前記イヤホンマイクの接続の有無に応じて、前記話者および通話相手の音声信号の経路を切り替える例えばスイッチ切り替え制御手段などの通話経路切替手段とを備え、
この通話経路切替手段により、前記接続端子に前記イヤホンマイクが接続されていない状態では、話者とその通話相手方との通話を前記送話マイクと前記受話スピーカとを介して行い、前記接続端子に前記イヤホンマイクが接続された状態では、前記話者とその通話相手方との通話を前記イヤホンマイクのマイクと前記拡声スピーカとを介して行うべく、前記音声信号の経路を切り替えるようにした。
【００６５】
また請求項３に記載の本発明では、例えばモード設定制御手段などの通話モード設定手段を備えて前記接続端子に前記イヤホンマイクが接続された場合に第１および第２の通話モードを選択設定できるようにし、
第１の通話モードでの通話を行う場合には、前記話者とその通話相手方との通話を前記イヤホンマイクのマイクと前記拡声スピーカとを介して行い、第２の通話モードでの通話を行う場合には、前記話者とその通話相手方との通話を前記イヤホンマイクのマイクと当該イヤホンマイクのイヤホンとを介して行えるように、前記通話経路切替手段に音声信号の経路を設定させるようにした。
【００６６】
これらのことから、ハンズフリーで使用して使い勝手の良い移動通信端末装置を提供することが可能となる。
【図面の簡単な説明】
【図１】  本発明の実施形態に係わる携帯無線電話機１の構成を示すブロック図。
【図２】  イヤホンマイク１００の例を示す外観図。
【図３】  本発明の実施形態に係わる携帯無線電話機１と、イヤホンマイク１００とを自動車の車内に装備した状態の例を示す図。
【図４】  本発明の実施の形態における制御部１７の処理手順を示すフローチャート。
【符号の説明】
１…携帯無線電話機
ＡＮＴ…アンテナ
２…アンテナ共用器（ＤＵＰ）
３…受信回路（ＲＸ）
４…シンセサイザ回路（ＳＹＮ）
５…Ａ／Ｄコンバータ
６…モデム部
７…チャネルコーデック
８…スピーチコーデック
９…Ｄ／Ａコンバータ
１０…受話アンプ
１１…受話スピーカ
１２…送話マイク
１３…送話アンプ
１４…Ａ／Ｄコンバータ
１５…Ｄ／Ａコンバータ
１６…送信回路（ＴＸ）
１７…制御部
ａ，ｂ，ｃ…制御信号線
１７ａ…スイッチ切り替え制御手段
１７ｂ…モード設定制御手段
１８…ＬＣＤ表示器
１９…キーユニット
２０…発振回路
２１…メロディ発生器
２７…ＲＯＭ（ＦＲＯＭ）
２８…ＲＡＭ
３２…制御バス
４２…スピーカアンプ
４３…拡声スピーカ
５１…イヤホンマイクジャック
５２，５３，５４，５５…切替スイッチ（ＳＷ）
１００…イヤホンマイク
１０１…イヤホン
１０２…マイク
１０３…自動車のＡピラー
【図１】
0004357096.tif 000002
【図２】
0004357096.tif 000003
【図３】
0004357096.tif 000004
【図４】
0004357096.tif 000005